(57)【特許請求の範囲】
【請求項１】
トナーをシートに付着させる静電装置であって、
バイアス電圧Ｖｄを有するディベロッパ表面と、
電荷の吸引により前記ディベロッパ表面周辺に載せられたトナー粒子と、
前記ディベロッパ表面に対向する位置にあり、前記トナー粒子に吸引力を及ぼすバイアス電圧Ｖｐを有するプラテン手段と、
前記ディベロッパ表面と前記プラテン手段との間に配置され、複数の開口を有する所定の厚さの絶縁体を含むアドレス板手段であって、前記各開口が少なくとも１つの第１の電極に隣接し、前記第１の電極が連結板に接続されているアドレス板手段と、
前記連結板を介して前記第１の電極に容量結合し、行駆動電圧を基準レベルまたは駆動レベルのどちらかに制御し印加することができる行駆動手段と、
前記連結板に容量結合し、それに列駆動電圧を基準レベルまたは駆動レベルのどちらかに制御し印加することができる列駆動手段であって、前記列駆動電圧および行駆動電圧は、両電圧がそのそれぞれの駆動レベルにあるときに限り前記トナー粒子が前記開口を通過しＶｐの影響下で前記プラテン手段に向かって引かれるのに十分な電圧を前記連結板および前記第一の電極に誘導するような駆動レベルを示す列駆動手段と、
前記開口にトナー粒子を通過させるときに、前記行および列駆動手段を動作させて前記駆動レベル電圧を同時に出力させ、さらに、トナー粒子が前記開口を通過するのを禁止するときに、前記行駆動手段および列駆動手段の少なくとも一方を動作させて基準電圧を発生させる制御手段と
を備えていることを特徴とする静電装置。
【請求項２】
媒体シートが前記プラテン手段と前記アドレス板手段との間に配置され、前記トナー粒子が前記開口を通過すると、前記媒体シートが前記トナー粒子を受けることを特徴とする、請求項１に記載の静電装置。
【請求項３】
その上に堆積したトナーを転写ステーションに移動させ媒体シートに転写させることができるように、前記プラテン手段を移動させる手段が設けられていることを特徴とする、請求項１に記載の静電装置。
【請求項４】
Ｎ個の行に配置され、該Ｎ個の行の各々がＭ個の開口を備え、ここでＭおよびＮは整数であり、媒体シートの上にＭ×Ｎ個のトナー・ドットを形成し得るようにされたＭ×Ｎ個の開口を前記アドレス板手段が備えていることを特徴とする、請求項１に記載の静電装置。
【請求項５】
前記Ｎ個の行のうちのいずれかの行にある開口の各々は、整列して媒体シート上に複数列のトナー・ドット・ロケーションのうちのいずれかをなすようにされていることを特徴とする、請求項４に記載の静電装置。
【請求項６】
前記各第１の電極は関連する開口を囲む導電環を備えていることを特徴とする、請求項４に記載の静電装置。
【請求項７】
前記各導電環は所定の厚さの前記絶縁体の中に配置され、かつ前記絶縁体により絶縁されていることを特徴とする、請求項６に記載の静電装置。
【請求項８】
前記各駆動電圧の駆動レベルは、個別にかつ容量的に第１の電極に結合されているとき、前記第１の電極がＶｄより小さい電圧レベルを示し、それにより前記第１の電極の近くで前記アドレス板手段に粘着しているトナー粒子を前記ディベロッパ表面に引き戻すことができるように調節することができることを特徴とする、請求項１に記載の静電装置。
【発明の詳細な説明】
【０００１】
【産業上の利用分野】
本発明は静電プリント装置に関し、更に詳細に記せば、静電トナー堆積制御および改善されたピクセル・アドレス機構を採用したトナー射出プリンタに関する。
【０００２】
【従来の技術】
最も広く使用されている静電写真式プリント装置は光エネルギ源により選択的に投射される可動光導電体を使用している。このような静電写真式プリンタは広く受け入れられ、妥当な価格で優れたプリント品質を作り出しているが、その性能を増大し、その価格を更に下げるべく不断の努力が行なわれている。しかし、光導電体に基づくプリンタは光導電体を使用することから生ずる生来の一定の問題を示し続けるであろう。それらの問題の中には光導電体の価格、光導電体の磨耗、および断続的に遮蔽する必要のある光に対する光導電体の感度がある。更に、光導電体上に画像が完全に現われたとき、転写動作を行なってトナーを媒体シートに取り出すことができなければならない。
【０００３】
最近、光導電体を必要とせず、光導電体の使用に生来的に伴う多数の問題を回避した新しい種類の静電プリンタが開発された。この種のプリンタは帯電トナー粒子を受光体または光導電装置を介在させずに媒体シート上に直接堆積するのを制御する電極系を備えた「トナー射出プリンタ」である。典型的には各電極は絶縁基板内の開口を取り囲む導電リング電極を備えている。基板の一方の側にディベロッパ・ロールおよび帯電した乾燥トナー粒子の供給源を備えたディベロッパ・モジュールがある。
【０００４】
負帯電トナー粒子を採用するシステムでは、リング電極をディベロッパ・ロールに対して正側に駆動すると、トナー粒子はリング電極に吸引され、幾らかは開口を通過する。絶縁基板の反対側には導電プラテン上に静置された媒体シートがある。プラテンはトナー粒子が紙／プラテン組合体に吸引されるようにリング電極より更に大きい正の電圧にバイアスされている。
【０００５】
トナーはリング電極に吸引されるが、開口を通過しないトナーは開口の周りに集まるので、定期的に除去されねばならない。これはリング電極とディベロッパ・ロールの電位を逆にしてこのような堆積トナーを絶縁基板およびリング電極から遠くに引き寄せ、ディベロッパ・ロールに戻すことにより行なわれる。各リング電極には独立に制御できるドライバ回路が必要であるため、付随する複雑な配線および制御回路と共に多数のドライバ回路が必要である。
【０００６】
Larson及びその他の米国特許第5,036,341号は、プリント制御マトリクスが２層の並列ワイヤを２つの層のそれぞれに備えている、トナー射出プリンタについて記述している。その２つの層は直交しており、トナーを現像すべき媒体シートの平面に平行に設置されている。各層内のワイヤはバー・パターンの形態を成して配置され、各別々のワイヤはドライバ回路に接続されている。各層内の二つの隣接ワイヤが正に駆動されると（負帯電トナーを仮定している）トナー・ドットがプリントされる。その時トナーは２対の正駆動ワイヤの交点にある開口に引かれ、それらの間を通り、媒体シート上に堆積される。
【０００７】
Larsonのシステムは多数の短所を示している。ワイヤの配列はただ、プリント配列の縁の周りのフレーム構造によって支持されているだけである。プリント・ワイヤ配列と紙との間に厳密な隙間制御を維持しなければならないため、ワイヤに非常にわずかの撓みしか許容されない。ワイヤの配列は壊れやすく、互いに完全に絶縁しなければならないが、これは交差点の数を考えると困難である。また、ワイヤ対の間の隣接開口を通るトナーの幾らかが漏れてしまうこともある。最後に、交差ワイヤにより形成される開口は正方形であり、最良プリント解像度を実現するには最適形状であるとは言えない。
【０００８】
Larsonの米国特許第5,121,144号はトナー射出プリンタ用のマルチプレクス・システムについて述べている。トナーを堆積する媒体シートの裏に連続導電プラテンを使用する代わりに、Larsonの米国特許第5,121,144号は媒体シートの移動方向に渡ってはめ込まれている多数の導電ワイヤを備えた絶縁プラテンを利用している。トナーの堆積を制御する電極は媒体シートの上方で絶縁基板上に設置され、多数の組を成して共に接続されているので、各組の中の一つの電極だけが導電プラテン内の所与のワイヤの真上にある。一度に一つのプラテン・ワイヤだけが（負帯電トナーに対して）高い正電圧に駆動される。電極セットも正に駆動されると、プラテン内の駆動したワイヤの上方にある一つの電極がトナーを媒体シート上に堆積させる。
【０００９】
Larsonの米国特許第5,121,144号に示す構造も多数の短所を示している。プラテン構造は複雑であり、多数の精密はめ込み導体を備えている。これら導体間の絶縁は高い電圧（たとえば、約1000ボルト）に耐えなければならず、たとえ媒体シートがその上を通過するにつれて磨耗を受けても絶縁性を維持しなければならない。プラテン・ワイヤ用駆動回路もプリント電極を直接駆動するのに必要な電圧（100ボルト）よりはるかに高い電圧を駆動することができなければならない。従って、高電圧駆動回路はさらに高価になる。そして、そのはめ込みワイヤを有するプラテンは、許容可能なプリント品質を達成するためにはプリント電極配列と精密に位置合わせしなければならない。
【００１０】
LarsonのPCT出願WO 90/14960は、上に引用したLarsonの米国特許第5,036,341号に示された電極構造の改良について記している。PCT出願でLarsonは、隣接した網目状配列の電極の間のクロスカップリングまたはクロストークを減らすのに絶縁電極を採用している。LarsonのPCT出願WO 90/14959では、堆積トナーを電極マトリクスから除去するために、各アドレス動作の空き時間に逆電圧印加を採用する手順を記している。しかし、トナー粒子がリング電極に付着すると、リング電極に導通することによりその電荷を失う傾向がある。従って、このような粒子を除去するのに逆電圧を印加することは、それらが電荷を損失するので効果的ではない。
【００１１】
【発明が解決しようとする課題】
上述したように、トナー射出プリンタは、光導電体ベルトまたは光導電体表面を設ける必要がないが、光導電体構成要素の排除により得られる利益を実現する前に価格および性能の改善が必要である。
【００１２】
従って本発明の目的は、プリント電極ドライバの数を減らす、改良されたトナー射出プリンタを提供することである。
【００１３】
本発明の他の目的は、プリント制御電極からのトナー除去の改良を開示した、トナー射出プリンタを提供することである。
【００１４】
【課題を解決するための手段】
トナー射出プリンタは、ディベロッパ・バイアス電圧を発生し且つ多数のトナー粒子が堆積したディベロッパ表面を備えている。プラテンがディベロッパ表面に対向して設置され、トナー粒子を吸引するプラテン電圧を発生する。アドレス板がディベロッパ表面とプラテンとの間に設置されている。アドレス板は貫通ピクセル開口を有する所定の厚さの絶縁体から構成されている。各ピクセル開口は、絶縁体内に配置された少なくとも１つの第１の導電リング電極を有する。また、第１の導電リング電極は、これもまたその絶縁体内に配置された駆動板に接続されている。第１の駆動回路が絶縁体の一方の側に設置され、駆動板に容量結合されてそれに行駆動電圧を制御可能に加える。第２の駆動回路が絶縁体の他方の側に設置され、駆動板に容量結合されてそれに列駆動電圧を加えている。列および行の両駆動電圧は、両者が高いときに限りトナー粒子がピクセル開口を通過し、プラテンの方に引かれ、プラテン電圧の影響下に入ることができるようなレベルに設定されている。制御回路はプラテンに設置された媒体シートにトナーの行および列ドットを堆積することができるように動作する。
【００１５】
【実施例】
図１はトナー射出プリンタのプリント部分を断面で示している。ディベロッパ・ロール表面20は好適には導電エラストマから構成され、これにディベロッパ・バイアスＶdが加えられる。トナー22はトナー粒子とディベロッパ・バイアスＶdとの間の電荷吸引力によってディベロッパ・ロール表面20に粘着する。好適実施例では、トナー粒子22は負に帯電している単一成分の誘電体粒子である。
【００１６】
ディベロッパ・ロール表面20の反対側には導電プラテン24があり、これにバイアス電圧Ｖpが加えられている。電圧Ｖpは非常に高い正電圧（たとえば、1000ボルト）であり、トナー粒子22を吸引する高い静電界を発生する。媒体シート26は導電プラテン24に設置され、イメージのフォーマットに構成されているトナーのドットを受けるように設置されいる。
【００１７】
アドレス板28がディベロッパ・ロール表面20と導電プラテン24との間に設置され、これによってトナー粒子22は、適切な行および列の駆動電位に従って開口30を選択的に通過し、導電プラテン24に加えられる電圧Ｖpによってつくられる電界の影響下に置かれる。
【００１８】
アドレス板28の部分平面図を図２に示してあり、一つの開口およびその関連する電極を図１に示してある。アドレス板28は、複数の列を成すトレース36、38、40などが配置される第１の表面を備えた絶縁シート32から構成されている。対向表面35に、複数の行を成すトレース（以下、行トレースと称する）42、44、46、および48がそれぞれ列を成すトレース（以下、列トレースと称する）と交差するように設置されている。導電リング電極52は絶縁シート32に埋め込まれ、各開口30の周りに設置されている。各導電リング電極52は導電線54により連結板56に接続されている。各連結板56はそれぞれの行を成すトレースと列を成すトレースとの間に配置され、駆動電圧がそこから結合されるようにしている。
【００１９】
後述の説明から明らかになるように、リング電極52、導電線54、連結板56を絶縁シート32の中に設置すると、トナー粒子がリング電極の表面および駆動回路に接触しないようになる。その結果、トナー粒子の放電が大幅に回避される。
【００２０】
各列トレース36、38、40などは列駆動回路（後述する）に接続されており、該列駆動回路は接続された列トレースの各々に列駆動電圧Ｖc(t)を加える。同様に、各行トレース42、44、46、48などは行駆動回路（後述する）に接続されており、該行駆動回路は接続された行トレースの各々に行駆動電圧Ｖr(t)を選択的に加える。矢印58はアドレス板28の下での媒体シートの移動方向を示す。
【００２１】
図３は電極およびそれに関連した結合キャパシタンスの等価回路を示す。
Ｖc(t)＝列トレースにかかる電圧
Ｖr(t)＝行トレースにかかる電圧
Ｖe(t)＝リング電極にかかる電圧
Ｖd＝ディベロッパ・バイアス電圧
Ｃr＝行トレースと連結板との間のキャパシタンス
Ｃc＝列トレースと連結板との間のキャパシタンス
Ｃe＝リング電極のグラウンドに対する寄生キャパシタンス
Ｑt＝リング電極の周りに集まるトナーの電荷
【００２２】
図４は図３の等価回路で生ずる電圧波形を示す。電圧波形60は列駆動を示し、電圧波形62は行駆動を示し、波形64は連結板56（およびリング電極52）に誘導される電圧を示す。Ｖcは列トレースにかかるパルスのピーク電圧を表し、Ｖrは行トレースにかかるパルスのピーク電圧を表す。電圧ｖ1、ｖ2、ｖ3、およびｖ4はそれぞれ時刻ｔ1、ｔ2、ｔ3、およびｔ4で発生するが、次のように駆動される。
ｖ1＝Ｖc×Ｃc/(Ｃc＋Ｃr＋Ｃe)
ｖ2＝Ｖr×Ｃr/(Ｃc＋Ｃr＋Ｃe)
ｖ3＝(Ｖc×Ｃc＋Ｖr×Ｃr)/(Ｃc＋Ｃr＋Ｃe)
ｖ3−ｖ4＝Ｑt/(Ｃc＋Ｃr＋Ｃe)
【００２３】
リング電極にかかる介在電位が少なくともＶdと同じくらい高いか、好適にはそれ以上である場合にだけ、負に帯電したトナー粒子は電位Ｖpのプラテンに向かって移動することを、当業者は理解するであろう。従って、ｖ1＜Ｖd、ｖ2＜Ｖd、且つｖ3＞Ｖdであれば、Ｖr(t)およびＶc(t)がそれぞれＶrおよびＶcであるときトナーはリング電極に吸引される。幾らかのトナーは開口30を通過して、導電プラテン24にかかるバイアス電圧Ｖpにより媒体シート26に引き付けられる。Ｖr(t)および／またはＶc(t)が（たとえば、時刻ｔ1およびｔ2で）それらの低レベルにあれば、誘導リング電極電圧Ｖe(t)はディベロッパ・バイアス電圧Ｖdより低い。逆の電界では過剰のトナーをアドレス板28から逆にディベロッパ表面20に引き戻す。ｔ4での電圧の減少は、開口30周辺にトナーが蓄積した結果である。これらからわかるように、行および列駆動電位を正しく調節すれば、アドレス板28の半選択能力が得られる。従って、Ｍ×Ｎ個のピクセル開口30の各々に駆動回路が必要だったのが、Ｍ＋Ｎ個のみの駆動回路で済む。
【００２４】
図５で、アドレス板28におけるピクセル開口30の配列をアドレスするための回路について示してある。プロセッサ70および接続されたメモリ72は連結し、ラスタ指向２進ピクセル・データをＡＳＩＣ74に供給する。ＡＳＩＣ74の内部でラスタ・データはまとめられ、列トレース用半選択信号がデータ・ライン76を経て複数の列ラッチ78に出力される。クロック・ライン80は、ＡＳＩＣ64によりライン82に与えられるイネーブル信号に従って、ラッチ78の動作を可能にする。同様に、ＡＳＩＣ74はそれぞれライン84、86、88を経由してデータ、クロック、およびイネーブル信号を行ラッチ90に加える。該行ラッチは、列駆動信号を逐次的列トレースに加えることを可能とする。行ラッチ90および列ラッチ78からの出力はそれぞれ、行および列駆動器92、94に加えられる。各行駆動器92および列駆動器94は、接続されている行または列トレースに駆動電圧Ｖr(t)、Ｖc(t)を加える。駆動電圧は高レベルと低レベルまたは基準電位レベルとの間で変化する。
【００２５】
動作時ＡＳＩＣ74は、最初列ラッチ78に適切なデータ信号を送り、次にイネーブル信号を行ラッチ90の中の選択された行ラッチおよび列ラッチ78の双方に供給して、それぞれ接続されている行および列トレースにかかる駆動電圧の同時読出を行なう。これらの動作により適切な電圧がピクセルをプリントすべきリング電極52に容量結合することが可能となり、それによりトナー粒子がそこに設けられている開口30を通過することが可能となる。このようなトナー粒子は次にプラテン・バイアスの影響下に入り、媒体シート24に引き付けられてその上に堆積する。
【００２６】
図２に示すように、列トレース36、38、40などは、ピクセル開口30を近接して詰め込むことにより解像度の改善を行なうことができるように、斜めに配置されている。完全な線をプリントするには、複数のデータ行をプリントして完全なピクセル行を得ることが必要である。ＡＳＩＣ74はプリント動作とプラテン24上の媒体シート26の移動とを同期させる。媒体シート26を移動させる手段は図示してないが、当業者には周知である。
【００２７】
図６に、本発明の動作中に使用される波形を描いてある。行駆動電圧は連続するクロック期間中、逐次的に行トレース（例えば、42、44、46、48など）に加えられる。行駆動電圧の行トレースへの印加と同時に、特定の行に対するデータ信号が列トレース（たとえば、36、38、40など）に加えられる。データおよび列トレース駆動電圧が共に高レベルにあれば、ドットのプリントが、行トレースと列トレースとの交点に配置されている連結板56に接続されている開口30で行なわれる。
【００２８】
図６に示すように、時刻Ｔ2で行トレース44および列トレース40に加えられる一致駆動電圧によって、ピクセル開口７でドットがプリントされる。同様に、ドットは時刻Ｔ4にピクセル開口１、5、9、および13でプリントされる。行トレースが４本だけアドレス板28に存在すると仮定すれば、時刻Ｔ5から再び行トレースへの行駆動電圧の印加のシーケンスが繰り返される。
【００２９】
これまでの説明は本発明の例示にすぎないことを理解すべきである。当業者は本発明から逸脱することなく各種代案および修正案を考案することができる。たとえば、上の説明はアドレス板28の下を通過する媒体シートの存在を仮定してきた。対照的に、導電プラテン24がトナー堆積物を直接受け、その後トナーを媒体シートに取り出す転写点まで導電プラテン24が移動できるようにすることもできる。従って、本発明は特許請求の範囲の中に入るこのような代案、修正案、および変形案をすべて包含するつもりである。
【００３０】
〔実施態様〕
なお、本発明の実施態様の例を以下に示す。
【００３１】
〔実施態様１〕  トナーをシートに付着させる静電装置であって、
バイアス電圧Ｖdを発生するディベロッパ表面20と、
電荷吸引により前記ディベロッパ表面20周辺に集められたトナー粒子22と、
前記ディベロッパ表面20に対向する位置にあり、前記トナー粒子22に吸引力を及ぼすバイアス電圧Ｖpを発生するプラテン手段24と、
前記ディベロッパ表面20と前記プラテン手段24との間に配置され、複数の開口30を有する所定の厚さの絶縁体32を含むアドレス板手段であって、前記開口30が少なくとも１つの第１の電極52、54に隣接し、前記第１の電極52が連結板56に接続されていることを特徴とするアドレス板手段と、
前記連結板56を介して前記第１の電極52、54に容量結合し、行駆動電圧を基準レベルまたは駆動レベルのどちらかに制御し印加することができる行駆動手段90、92と、
前記連結板56に容量結合し、それに列駆動電圧を基準レベルまたは駆動レベルのどちらかに制御し印加することができる列駆動手段78、94であって、前記列駆動電圧および行駆動電圧は、両電圧がそのそれぞれの駆動レベルにあるときに限り前記トナー粒子22が前記開口30を通過しＶpの影響下で前記プラテン手段24に向かって引かれるのに十分な電圧を前記連結板56および前記第１の電極52、54に誘導するような駆動レベルを示すことを特徴とする列駆動手段78、94と、
前記開口30にトナー粒子22を通過させるときは前記行および列駆動手段90、92、78、94を動作させて、前記駆動レベル電圧を同時に出力させ、更に、トナー粒子22が前記開口30を通過するのを禁止するときは前記行駆動手段90、92および列駆動手段78、94の少なくとも一方を動作させ、基準電圧を発生させることを特徴とする制御手段と
を含むことを特徴とする静電装置。
【００３２】
〔実施態様２〕  媒体シート26は、前記プラテン手段と前記アドレス板手段28との間に配置され、前記トナー粒子22が前記開口30を通過すると前記トナー粒子22を受けることを特徴とする、実施態様１に記載の静電装置。
【００３３】
〔実施態様３〕  その上に堆積したトナーを転写ステーションに移動させ媒体シートに転写させることができるように、前記プラテン手段を移動させる手段が設けられていることを特徴とする、実施態様１に記載の静電装置。
【００３４】
〔実施態様４〕  前記アドレス板手段は、
Ｎ個の行に配置され、該Ｎ個の行の各々がＭ／Ｎ個の開口を備え、媒体シート26の上のトナー・ドットで最高に詰まった行はＭ×Ｎ個のドットを含む、Ｍ個の開口30を備えていることを特徴とする、実施態様１に記載の静電装置。ただし、ＭおよびＮは整数値である。
【００３５】
〔実施態様５〕  前記Ｎ個の行のうちの１つの行にある開口30の各々は整列して媒体シート26の上に複数列のトナー・ドット・ロケーションのうちの１つを作っていることを特徴とする、実施態様４に記載の静電装置。
【００３６】
〔実施態様６〕  前記各第１の電極52、54は関連する開口30を囲む導電環52を備えていることを特徴とする、実施態様４または実施態様５に記載の静電装置。
【００３７】
〔実施態様７〕  前記各導電環52は所定の厚さの前記絶縁体32の中に配置され、且つ前記絶縁体32により絶縁されていることを特徴とする、実施態様６に記載の静電装置。
【００３８】
〔実施態様８〕  前記各駆動電圧の駆動レベルは個別に且つ容量的に第１の電極52、54に結合されているとき、前記第１の電極52、54はＶdより小さい電圧レベルを示し、それにより前記第１の電極52、54の近くで前記アドレス・プラテン手段28に粘着しているトナー粒子22を前記ディベロッパ表面20に引き付け戻すことができるように調節することができることを特徴とする、実施態様１ないし実施態様７のいずれかに記載の静電装置。
【００３９】
【発明の効果】
以上詳細に説明したように、本発明によれば、各リング電極をそれに対応する行と列のトレースを駆動するだけでよいので、駆動回路の数はリング電極の数ではなく、行数と列数の和の数のみで済む。また、電極を行列トレースから離して設置できるので、その配列、形状もトレースの大きさ、配列に依存することなく自由であり、隣接する開口からのトナーの漏れもなく、プリント解像度を上げるのに最適な構造である。
【図面の簡単な説明】
【図１】トナーを乗せているディベロッパ表面と、アドレス板と、およびその上に媒体シートが配置している導電プラテンとを備えているトナー射出プリンタの一部の概略断面図である。
【図２】アドレス板の平面図である。
【図３】リング電極およびそれに関連する結合キャパシタンスの等価回路を示した図である。
【図４】図３の等価回路を理解するのに役立つ波形を示す図である。
【図５】行および列駆動電位を図２のアドレス板上の行および列トレースに加えるための回路を示す回路図である。
【図６】図５の回路の動作を理解するのに役立つ、駆動電圧対時間のプロットを示す図である。
【符号の説明】
20：ディベロッパ表面
22：トナー粒子
24：プラテン
28：アドレス板
30：開口
32：絶縁体
36：列トレース
42：行トレース
52：電極
54：電極
56：連結板
78：列駆動手段
90：行駆動手段
92：行駆動手段
94：列駆動手段
【図１】
0003741781.tif 000002
【図２】
0003741781.tif 000003
【図３】
0003741781.tif 000004
【図４】
0003741781.tif 000005
【図５】
0003741781.tif 000006
【図６】
0003741781.tif 000007